(57)【要約】      （修正有）【課題】通称ポリ袋と呼ばれている収納袋に、ものを掴むときの手袋の機能を併せ持たせ、その用途を多様化した製品を提供する。【解決手段】収納袋の先端を分離させ、手袋またはミトンのように指をその分離させた場所に挿入することにより、手袋としての機能を併せ持たせることができるように構成する。【選択図】図１３
0003151571.tif 000002
【実用新案登録請求の範囲】
【請求項１】
ポリエチレン、ビニール等の合成樹脂性の収納袋の先端部を人間の指が入る様に５箇所に分離し、
簡易的な５本指型手袋の形状にした収納袋。
【請求項２】
ポリエチレン、ビニール等の合成樹脂性の収納袋の先端部を人間の指の親指とその他の指が別々に入るように２箇所に分離し、
簡易的なミトン型手袋の形状にした収納袋。
【請求項３】
ポリエチレン、ビニール等の合成樹脂性の収納袋の先端部を人間の指の親指とその他の指が別々に入るように２箇所に分離し、
更に人差し指から小指までが入る部分を、それぞれの指が固定しやすいように内側を４箇所に分けるために
収納袋の上下の部分を密着させた仕切りを設け、
内側は５本の指が別々の場所に収まり、外側は２箇所に分離された簡易的なミトン型手袋の形状にした収納袋。
【請求項４】
ポリエチレン、ビニール等の合成樹脂性の収納袋の先端部の内側を人間の指の
それぞれの指が別々に入って固定しやすいように５箇所に分けるために
収納袋の上下の部分を密着させた仕切りを設けた収納袋。
【請求項５】
ポリエチレン、ビニール等の合成樹脂性の収納袋の先端部の内側を人間の指の
親指とその他の指が別々に入って固定しやすいように２箇所に分けるために
収納袋の上下の部分を密着させた仕切りを設けた収納袋。
【請求項６】
請求項４の、それぞれの指が別々に入って固定しやすいように５箇所に分けるために
収納袋の上下の部分を密着させた仕切りを
先端部まで全てではなく、指の入る入り口部分とし、先端部を開放した収納袋。
【請求項７】
請求項５の、親指とその他の指が別々に入って固定しやすいように２箇所に分けるために
収納袋の上下の部分を密着させた仕切りを
先端部まで全てではなく、指の入る入り口部分とし、先端部を開放した収納袋。
【請求項８】
請求項４の収納袋の５箇所に分けるための仕切り部分を
使用時に上下に分離可能な糊又は接着剤にて接着した収納袋。
【請求項９】
請求項５の収納袋の２箇所に分けるための仕切り部分を
使用時に上下に分離可能な糊又は接着剤にて接着した収納袋。
【請求項１０】
請求項６の収納袋の５箇所に分けるための先端部を開放した仕切り部分を
使用時に上下に分離可能な糊又は接着剤にて接着した収納袋。
【請求項１１】
請求項７の収納袋の２箇所に分けるための先端部を開放した仕切り部分を
使用時に上下に分離可能な糊又は接着剤にて接着した収納袋。
【請求項１２】
請求項２、請求項５、請求項７、請求項８、請求項９、請求項１０または請求項１１の収納袋でものを掴んで裏返しにしたときに
指の部分がそのまま残った場合、その指の部分を引っ張り出して裏返しにする為の紐或いは帯状の装着物。
【考案の詳細な説明】
【技術分野】
【０００１】
本考案は、家庭において頻繁に使用される通称ポリ袋に関するものである。
【背景技術】
【０００２】
従来、通称ポリ袋と呼ばれるポリエチレン、ビニール等の合成樹脂性の収納袋はものを収納するためのみの形状にデザインされている。
【考案の開示】
【考案が解決しようとする課題】
【０００３】
しかしながら、ポリ袋はものを収納するだけではなく、食品、生もの、或いは汚物等、素手で触ることに安全上、衛生上、心理上問題がある場合にも簡易的手袋として
使用されているが、指を入れる部分がなく、甚だ使いづらい。
そのためにポリエチレン製の手袋も市販されているが、それは手袋専用の機能しか持たず、収納袋としての機能には限界がある。
【課題を解決するための手段】
【０００４】
そこで、本考案は上記問題点を解決するために成されたもので、収納袋としての機能を有し、
更に素手で触ることに問題があるときに使用される手袋としての機能をも有する収納袋を考案した
(図１、図２、図３、図４、図５、図６、図７、図８、図９、図１０、図１１)。
【考案の効果】
【０００５】
本考案により本考案の請求項１、請求項２、請求項３、請求項４、請求項５、請求項６、
請求項７、請求８、請求項９、請求項１０、または請求項１１
を使用して製造された収納袋の使用者は、一つの製品で収納袋と手袋の２通りの使い分けをすることが出来る。
【０００６】
請求項１、請求項２、請求項３、請求項４、請求項５、請求項６、
請求項７、請求８、請求項９、請求項１０、及び請求項１１の考案によれば、
その考案を使用して製造された収納袋一つで以下のような使い分けをすることが出来る。
１．通常のポリ袋のように食料品、水分を含んだもの等を収納する。
２．配膳等、素手で触ることに衛生上問題のある場合に手袋として使用する。
３．惣菜商等において漬物の糠床から漬物を取り出し、そのまま裏返しながら袋に収納して販売する場合に手袋と収納袋の両方の機能を利用して使用する。
４．汚物等、素手で触ることに心理上抵抗があるものを処理する際に手袋として使用する。
５．インク、絵の具等、素手で触ると色が手に付着するものを触る際に使用する。
６．ペットの糞の処理等、素手で処理するのに心理上抵抗があり、更にそれを回収しなければならない場合、
糞の上にティッシュペーパー等の紙をかぶせ、手袋としての使い易さによって容易にその紙ごと掴み、
裏返して収納袋としての機能によりそれを回収する。
７．爬虫類、虫等、手で掴む以外掴み難いにも拘わらず、素手で掴むには、安全上、衛生上、心理上問題があり、
且つ掴んだ後袋の中に収納しなければならないものを上記ペットの糞と同様に裏返してその中に収納する。
【０００７】
請求項４又は請求項５の考案によれば、製造業者に取ってみれば、
指の間の分離する隙間、切れ目、或いはミシン目を入れる製造工程の手間が省け、
その分安価に製品を提供することが出来る。
本考案の請求項１、請求項２、又は請求項３を使用して製造された収納袋より指間に切れ目が無い分、手袋としての機能は若干劣るが、
指先が分離されているため、十分に実用に耐えうる。
【０００８】
また、請求項６または請求項７の考案によれば、
請求項４又は請求項５の指先を分離する仕切りが先端部までではなく、
指の入る入り口部分であるため、収納袋としての機能が請求項４又は請求項５より増すことになる。
【０００９】
更に、請求項８、請求項９、請求項１０、及び請求項１１の考案によれば、
指先を分離した仕切りを使用時に上下に分離し、内部を一つの空間として開放して使用することにより、
その容積が増大され、完全に通常のポリ袋と同様に使用できる。
【００１０】
請求項１２の考案によれば、
請求項２、請求項５、請求項７、請求項８、請求項９、請求項１０または請求項１１の収納袋で
ものをつかみ、内部に収納するために裏返しにした際、指の部分がそのまま残った場合でも、その紐或いは帯状の装着物を引っ張ることによって内側の指の部分を裏返すことが出来る。
【００１１】
尚、請求項８、請求項９、請求項１０または請求項１１に請求項１２の考案による装着物を付けた場合、
上下に分離可能な糊或いは接着剤で接着した部分を分離させて引っ張り出すことにより、
指の部分を完全に引っ張り出すことが出来る。
【考案を実施するための最良の形態】
【００１２】
本考案に係る収納袋は図１、図２、図３、図４、図５、図６、図７、図８、図９、図１０、図１１のいずれかの形状をし、
使用者は、使い勝手、嗜好、目的に合わせていずれかを選択して使用することにより、
通常のポリ袋を使用するより容易に且つ多用途に使用することが出来る。
【００１３】
実施方法は、収納袋を製造する製造業者は図１、図２、図３、図４、図５、図６、図７、図８、図９、図１０、図１１
のそれぞれの形状をした収納袋を製造、販売、
また利便性の向上の為に、
請求項２、請求項５、請求項７、請求項８、請求項９、請求項１０または請求項１１の考案を使用した収納袋に対して、
請求項１２の考案の紐或いは帯状の装着物を備えた収納袋を製造、販売し、
使用者は、使い勝手、嗜好、目的に合わせて選択して購入し、使用する。
【図面の簡単な説明】
【００１４】
【図１】本考案の請求項１に係る先端を５箇所に分離し、簡易的な５本指型手袋の形状にした収納袋の外観図である。
【図２】本考案の請求項２に係る先端を２箇所に分離し、簡易的なミトン型手袋の形状にした収納袋の外観図である。
【図３】本考案の請求項３に係る先端を２箇所に分離し、人差し指から小指までを入れる内側を４箇所に分けるための仕切りを設けた簡易的なミトン型手袋の形状にした収納袋の外観図である。
【図４】本考案の請求項４に係る先端の内側を人間の指のそれぞれの指が別々に入って固定しやすいように５箇所に分けるための仕切りを設けた収納袋の外観図である。
【図５】本考案の請求項５に係る先端の内側を人間の指の親指とその他の指が別々に入って固定しやすいように２箇所に分けるための仕切りを設けた収納袋の外観図である。
【図６】本考案の請求項６に係る先端の内側を人間の指のそれぞれの指が別々に入って固定しやすいように５箇所に分けるための仕切りを先端部まで全てではなく、指の入る入り口部分とし、先端部を開放した収納袋の外観図である。
【図７】本考案の請求項７に係る先端の内側を人間の指の親指とその他の指が別々に入って固定しやすいように２箇所に分けるための仕切りを先端部まで全てではなく、指の入る入り口部分とし、先端部を開放した収納袋の外観図である。
【図８】本考案の請求項８に係る収納袋の先端部を５箇所に分けるための仕切り部分を使用時に上下に分離可能な糊又は接着剤にて接着した収納袋の外観図である。
【図９】本考案の請求項９に係る収納袋の先端部を２箇所に分けるための仕切り部分を使用時に上下に分離可能な糊又は接着剤にて接着した収納袋の外観図である。
【図１０】本考案の請求項１０に係る収納袋の先端部を５箇所に分けるための先端部を開放した仕切り部分を使用時に上下に分離可能な糊又は接着剤にて接着した収納袋の外観図である。
【図１１】本考案の請求項１１に係る収納袋の先端部を２箇所に分けるための先端部を開放した仕切り部分を使用時に上下に分離可能な糊又は接着剤にて接着した収納袋の外観図である。
【図１２】本考案の請求項１に係る簡易的な５本指型手袋の形状にした収納袋の製造コストを下げるため、製造者の形状選択肢として、指の間の切れ目のパターンを３通り示したものの外観図である。
【図１３】本考案の請求項２に係る簡易的なミトン型手袋の形状にした収納袋の製造コストを下げるため、製造者の形状選択肢として、指の間の切れ目のパターンを３通り示したものの外観図である。
【図１４】本考案の請求項３に係る簡易的なミトン型手袋の形状にした収納袋の製造コストを下げるため、製造者の形状選択肢として、指の間の切れ目のパターンを３通り示したものの外観図である。
【図１５】ロール式に大量に請求項１の簡易的な５本指型手袋の形状にした収納袋を製造した外観図である。
【図１６】ロール式に大量に請求項２の簡易的なミトン型手袋の形状にした収納袋を製造した外観図である。
【図１７】ロール式に大量に請求項３の簡易的なミトン型手袋の形状にした収納袋を製造した外観図である。
【図１８】ロール式に大量に請求項４又は請求項８の収納袋を製造した外観図である。
【図１９】ロール式に大量に請求項５又は請求項９の収納袋を製造した外観図である。
【図２０】ロール式に大量に請求項６又は請求項１０の収納袋を製造した外観図である。
【図２１】ロール式に大量に請求項７又は請求項１１の収納袋を製造した外観図である。
【図２２】屏風式に大量に請求項１の簡易的な５本指型手袋の形状にした収納袋を製造した外観図である。
【図２３】屏風式に大量に請求項２の簡易的なミトン型手袋の形状にした収納袋を製造した外観図である。
【図２４】屏風式に大量に請求項３の簡易的なミトン型手袋の形状にした収納袋を製造した外観図である。
【図２５】屏風式に大量に請求項４又は請求項８の収納袋を製造した外観図である。
【図２６】屏風式に大量に請求項５又は請求項９の収納袋を製造した外観図である。
【図２７】屏風式に大量に請求項６又は請求項１０の収納袋を製造した外観図である。
【図２８】屏風式に大量に請求項７又は請求項１１の収納袋を製造した外観図である。
【図２９】本考案の請求項８、請求項９、請求項１０、請求項１１に係る、指の仕切り部分を分離可能な糊又は接着剤で接着したものを接着した状態と分離させた状態を開口部から見た外観図である。
【図３０】本考案の請求項１２に係る紐或いは帯状の装着物で、請求項２の収納袋に裏返したときに指の部分を引っ張り出すための請求項１２の紐或いは帯状の装着物をつけたもの、それを裏返したときのもの、及び指の部分を引っ張り出したときのものの外観図である。
【図３１】本考案の請求項１２に係る紐或いは帯状の装着物で、請求項５の収納袋に裏返したときに指の部分を引っ張り出すための請求項１２の紐或いは帯状の装着物をつけたもの、それを裏返したときのもの、及び指の部分を引っ張り出したときのものの外観図である。
【図３２】本考案の請求項１２に係る紐或いは帯状の装着物で、請求項７の収納袋に裏返したときに指の部分を引っ張り出すための請求項１２の紐或いは帯状の装着物をつけたもの、それを裏返したときのもの、及び指の部分を引っ張り出したときのものの外観図である。
【図３３】本考案の請求項１２に係る紐或いは帯状の装着物で、請求項８の収納袋に裏返したときに指の部分を引っ張り出すための請求項１２の紐或いは帯状の装着物をつけたもの、それを裏返したときのもの、及び指の部分を引っ張り出したときのものの外観図である。
【図３４】本考案の請求項１２に係る紐或いは帯状の装着物で、請求項９の収納袋に裏返したときに指の部分を引っ張り出すための請求項１２の紐或いは帯状の装着物をつけたもの、それを裏返したときのもの、及び指の部分を引っ張り出したときのものの外観図である。
【図３５】本考案の請求項１２に係る紐或いは帯状の装着物で、請求項１０の収納袋に裏返したときに指の部分を引っ張り出すための請求項１２の紐或いは帯状の装着物をつけたもの、それを裏返したときのもの、及び指の部分を引っ張り出したときのものの外観図である。
【図３６】本考案の請求項１２に係る紐或いは帯状の装着物で、請求項１１の収納袋に裏返したときに指の部分を引っ張り出すための請求項１２の紐或いは帯状の装着物をつけたもの、それを裏返したときのもの、及び指の部分を引っ張り出したときのものの外観図である。
【符号の説明】
【００１５】
１    請求項１、請求項２、及び請求項３に係る収納袋の指の間に隙間をあけたもの。
【００１６】
２    請求項１、請求項２、及び請求項３に係る収納袋の指の間を密着させ、それに切れ目を入れて指の間を分離させたもの。
【００１７】
３    請求項１、請求項２、及び請求項３に係る収納袋の指の間を密着させ、それにミシン目を入れて、
指の間を使用者が使用時に、使い勝手或いは使用目的に応じて必要な指間を必要な深さまで分離させるもの。
【００１８】
４    請求項１２に係る収納袋の指先部分を引っ張り出すための紐或いは帯状の装着物。
【００１９】
５    請求項８、請求項９、請求項１０及び請求項１１に係る、指間を上下に分離可能な糊又は接着剤にて接着した仕切りを
分離させたときの仕切りの元の接着面。
【００２０】
６    請求項８、請求項９、請求項１０及び請求項１１に係る、指間を上下に分離可能な糊又は接着剤にて接着した仕切りを
分離させて収納袋を裏返したときに表側に出てきた仕切りの元の接着面。
【図１】
0003151571.tif 000003
【図２】
0003151571.tif 000004
【図３】
0003151571.tif 000005
【図４】
0003151571.tif 000006
【図５】
0003151571.tif 000007
【図６】
0003151571.tif 000008
【図７】
0003151571.tif 000009
【図８】
0003151571.tif 000010
【図９】
0003151571.tif 000011
【図１０】
0003151571.tif 000012
【図１１】
0003151571.tif 000013
【図１２】
0003151571.tif 000014
【図１３】
0003151571.tif 000015
【図１４】
0003151571.tif 000016
【図１５】
0003151571.tif 000017
【図１６】
0003151571.tif 000018
【図１７】
0003151571.tif 000019
【図１８】
0003151571.tif 000020
【図１９】
0003151571.tif 000021
【図２０】
0003151571.tif 000022
【図２１】
0003151571.tif 000023
【図２２】
0003151571.tif 000024
【図２３】
0003151571.tif 000025
【図２４】
0003151571.tif 000026
【図２５】
0003151571.tif 000027
【図２６】
0003151571.tif 000028
【図２７】
0003151571.tif 000029
【図２８】
0003151571.tif 000030
【図２９】
0003151571.tif 000031
【図３０】
0003151571.tif 000032
【図３１】
0003151571.tif 000033
【図３２】
0003151571.tif 000034
【図３３】
0003151571.tif 000035
【図３４】
0003151571.tif 000036
【図３５】
0003151571.tif 000037
【図３６】
0003151571.tif 000038
【手続補正書】
【提出日】平成20年12月25日(2008.12.25)
【手続補正１】
【補正対象書類名】図面
【補正対象項目名】図３４
【補正方法】変更
【補正の内容】
【図３４】
0003151571.tif 000039
【手続補正書】
【提出日】平成20年12月30日(2008.12.30)
【手続補正１】
【補正対象書類名】実用新案登録請求の範囲
【補正対象項目名】請求項１
【補正方法】変更
【補正の内容】
【請求項１】
ポリエチレン、ビニール等の合成樹脂性の収納袋の先端部を人間の指が入る様に５箇所に分離、或いは使用時に分離可能にした簡易的な５本指型手袋の形状を特徴とする収納袋。
【手続補正２】
【補正対象書類名】実用新案登録請求の範囲
【補正対象項目名】請求項２
【補正方法】変更
【補正の内容】
【請求項２】
ポリエチレン、ビニール等の合成樹脂性の収納袋の先端部を人間の指の親指とその他の指が別々に入るように２箇所に分離、或いは使用時に分離可能にした簡易的なミトン型手袋の形状を特徴とする収納袋。
【手続補正３】
【補正対象書類名】実用新案登録請求の範囲
【補正対象項目名】請求項３
【補正方法】変更
【補正の内容】
【請求項３】
ポリエチレン、ビニール等の合成樹脂性の収納袋の先端部を人間の指の親指とその他の指が別々に入るように２箇所に分離、或いは使用時に分離可能にし、更に人差し指から小指までが入る部分を、それぞれの指が固定しやすいように内側を４箇所に分けるために収納袋の上下の部分を密着させた仕切りを設け、内側は５本の指が別々の場所に収まり、外側は２箇所に分離、或いは使用時に分離可能にした簡易的なミトン型手袋の形状を特徴とする収納袋。
【手続補正４】
【補正対象書類名】実用新案登録請求の範囲
【補正対象項目名】請求項４
【補正方法】変更
【補正の内容】
【請求項４】
ポリエチレン、ビニール等の合成樹脂性の収納袋の先端部の内側を人間の指のそれぞれの指が別々に入って固定しやすいように５箇所に分けるために収納袋の上下の部分を密着させた仕切りを設けたことを特徴とする収納袋。
【手続補正５】
【補正対象書類名】実用新案登録請求の範囲
【補正対象項目名】請求項５
【補正方法】変更
【補正の内容】
【請求項５】
ポリエチレン、ビニール等の合成樹脂性の収納袋の先端部の内側を人間の指の親指とその他の指が別々に入って固定しやすいように２箇所に分けるために収納袋の上下の部分を密着させた仕切りを設けたことを特徴とする収納袋。
【手続補正６】
【補正対象書類名】実用新案登録請求の範囲
【補正対象項目名】請求項６
【補正方法】変更
【補正の内容】
【請求項６】
請求項４の、それぞれの指が別々に入って固定しやすいように５箇所に分けるために収納袋の上下の部分を密着させた仕切りを先端部まで全てではなく、指の入る入り口部分とし、先端部を開放したことを特徴とする収納袋。
【手続補正７】
【補正対象書類名】実用新案登録請求の範囲
【補正対象項目名】請求項７
【補正方法】変更
【補正の内容】
【請求項７】
請求項５の、親指とその他の指が別々に入って固定しやすいように２箇所に分けるために収納袋の上下の部分を密着させた仕切りを先端部まで全てではなく、指の入る入り口部分とし、先端部を開放したことを特徴とする収納袋。
【手続補正８】
【補正対象書類名】実用新案登録請求の範囲
【補正対象項目名】請求項８
【補正方法】変更
【補正の内容】
【請求項８】
請求項４の収納袋の５箇所に分けるための仕切り部分を使用時に上下に分離可能な糊又は接着剤にて接着したことを特徴とする収納袋。
。
【手続補正９】
【補正対象書類名】実用新案登録請求の範囲
【補正対象項目名】請求項９
【補正方法】変更
【補正の内容】
【請求項９】
請求項５の収納袋の２箇所に分けるための仕切り部分を使用時に上下に分離可能な糊又は接着剤にて接着したことを特徴とする収納袋。
【手続補正１０】
【補正対象書類名】実用新案登録請求の範囲
【補正対象項目名】請求項１０
【補正方法】変更
【補正の内容】
【請求項１０】
請求項６の収納袋の５箇所に分けるための先端部を開放した仕切り部分を使用時に上下に分離可能な糊又は接着剤にて接着したことを特徴とする収納袋。
【手続補正１１】
【補正対象書類名】実用新案登録請求の範囲
【補正対象項目名】請求項１１
【補正方法】変更
【補正の内容】
【請求項１１】
請求項７の収納袋の２箇所に分けるための先端部を開放した仕切り部分を使用時に上下に分離可能な糊又は接着剤にて接着したことを特徴とする収納袋。
【手続補正１２】
【補正対象書類名】明細書
【補正対象項目名】００１４
【補正方法】変更
【補正の内容】
【００１４】
【図１】本考案の請求項１に係る先端を５箇所に分離し、簡易的な５本指型手袋の形状にした収納袋の外観図である。
【図２】本考案の請求項２に係る先端を２箇所に分離し、簡易的なミトン型手袋の形状にした収納袋の外観図である。
【図３】本考案の請求項３に係る先端を２箇所に分離し、人差し指から小指までを入れる内側を４箇所に分けるための仕切りを設けた簡易的なミトン型手袋の形状にした収納袋の外観図である。
【図４】本考案の請求項４に係る先端の内側を人間の指のそれぞれの指が別々に入って固定しやすいように５箇所に分けるための仕切りを設けた収納袋の外観図である。
【図５】本考案の請求項５に係る先端の内側を人間の指の親指とその他の指が別々に入って固定しやすいように２箇所に分けるための仕切りを設けた収納袋の外観図である。
【図６】本考案の請求項６に係る先端の内側を人間の指のそれぞれの指が別々に入って固定しやすいように５箇所に分けるための仕切りを先端部まで全てではなく、指の入る入り口部分とし、先端部を開放した収納袋の外観図である。
【図７】本考案の請求項７に係る先端の内側を人間の指の親指とその他の指が別々に入って固定しやすいように２箇所に分けるための仕切りを先端部まで全てではなく、指の入る入り口部分とし、先端部を開放した収納袋の外観図である。
【図８】本考案の請求項８に係る収納袋の先端部を５箇所に分けるための仕切り部分を使用時に上下に分離可能な糊又は接着剤にて接着した収納袋の外観図である。
【図９】本考案の請求項９に係る収納袋の先端部を２箇所に分けるための仕切り部分を使用時に上下に分離可能な糊又は接着剤にて接着した収納袋の外観図である。
【図１０】本考案の請求項１０に係る収納袋の先端部を５箇所に分けるための先端部を開放した仕切り部分を使用時に上下に分離可能な糊又は接着剤にて接着した収納袋の外観図である。
【図１１】本考案の請求項１１に係る収納袋の先端部を２箇所に分けるための先端部を開放した仕切り部分を使用時に上下に分離可能な糊又は接着剤にて接着した収納袋の外観図である。
【図１２】本考案の請求項１に係る簡易的な５本指型手袋の形状にした収納袋の指の間の切れ目のパターンを３通り示したものの外観図である。
【図１３】本考案の請求項２に係る簡易的なミトン型手袋の形状にした収納袋の指の間の切れ目のパターンを３通り示したものの外観図である。
【図１４】本考案の請求項３に係る簡易的なミトン型手袋の形状にした収納袋の指の間の切れ目のパターンを３通り示したものの外観図である。
【図１５】ロール式に大量に請求項１の簡易的な５本指型手袋の形状にした収納袋を製造した外観図である。
【図１６】ロール式に大量に請求項２の簡易的なミトン型手袋の形状にした収納袋を製造した外観図である。
【図１７】ロール式に大量に請求項３の簡易的なミトン型手袋の形状にした収納袋を製造した外観図である。
【図１８】ロール式に大量に請求項４又は請求項８の収納袋を製造した外観図である。
【図１９】ロール式に大量に請求項５又は請求項９の収納袋を製造した外観図である。
【図２０】ロール式に大量に請求項６又は請求項１０の収納袋を製造した外観図である。
【図２１】ロール式に大量に請求項７又は請求項１１の収納袋を製造した外観図である。
【図２２】屏風式に大量に請求項１の簡易的な５本指型手袋の形状にした収納袋を製造した外観図である。
【図２３】屏風式に大量に請求項２の簡易的なミトン型手袋の形状にした収納袋を製造した外観図である。
【図２４】屏風式に大量に請求項３の簡易的なミトン型手袋の形状にした収納袋を製造した外観図である。
【図２５】屏風式に大量に請求項４又は請求項８の収納袋を製造した外観図である。
【図２６】屏風式に大量に請求項５又は請求項９の収納袋を製造した外観図である。
【図２７】屏風式に大量に請求項６又は請求項１０の収納袋を製造した外観図である。
【図２８】屏風式に大量に請求項７又は請求項１１の収納袋を製造した外観図である。
【図２９】本考案の請求項８、請求項９、請求項１０、請求項１１に係る、指の仕切り部分を分離可能な糊又は接着剤で接着したものを接着した状態と分離させた状態を開口部から見た外観図である。
【図３０】本考案の請求項１２に係る紐或いは帯状の装着物で、請求項２の収納袋に裏返したときに指の部分を引っ張り出すための請求項１２の紐或いは帯状の装着物をつけたもの、それを裏返したときのもの、及び指の部分を引っ張り出したときのものの外観図である。
【図３１】本考案の請求項１２に係る紐或いは帯状の装着物で、請求項５の収納袋に裏返したときに指の部分を引っ張り出すための請求項１２の紐或いは帯状の装着物をつけたもの、それを裏返したときのもの、及び指の部分を引っ張り出したときのものの外観図である。
【図３２】本考案の請求項１２に係る紐或いは帯状の装着物で、請求項７の収納袋に裏返したときに指の部分を引っ張り出すための請求項１２の紐或いは帯状の装着物をつけたもの、それを裏返したときのもの、及び指の部分を引っ張り出したときのものの外観図である。
【図３３】本考案の請求項１２に係る紐或いは帯状の装着物で、請求項８の収納袋に裏返したときに指の部分を引っ張り出すための請求項１２の紐或いは帯状の装着物をつけたもの、それを裏返したときのもの、及び指の部分を引っ張り出したときのものの外観図である。
【図３４】本考案の請求項１２に係る紐或いは帯状の装着物で、請求項９の収納袋に裏返したときに指の部分を引っ張り出すための請求項１２の紐或いは帯状の装着物をつけたもの、それを裏返したときのもの、及び指の部分を引っ張り出したときのものの外観図である。
【図３５】本考案の請求項１２に係る紐或いは帯状の装着物で、請求項１０の収納袋に裏返したときに指の部分を引っ張り出すための請求項１２の紐或いは帯状の装着物をつけたもの、それを裏返したときのもの、及び指の部分を引っ張り出したときのものの外観図である。
【図３６】本考案の請求項１２に係る紐或いは帯状の装着物で、請求項１１の収納袋に裏返したときに指の部分を引っ張り出すための請求項１２の紐或いは帯状の装着物をつけたもの、それを裏返したときのもの、及び指の部分を引っ張り出したときのものの外観図である。
【手続補正書】
【提出日】平成21年3月11日(2009.3.11)
【手続補正１】
【補正対象書類名】実用新案登録請求の範囲
【補正対象項目名】請求項１２
【補正方法】変更
【補正の内容】
【請求項１２】
収納袋でものを掴んで裏返しにしたときに指の部分がそのまま残った場合、その指の部分を引っ張り出して裏返しにする為の紐或いは帯状の装着物を備えたことを特徴とする請求項２、請求項５、請求項７、請求項８、請求項９、請求項１０または請求項１１の形状の収納袋。